(57)【特許請求の範囲】
【請求項１】
電話回線網と接続可能な２つの端子を有する回線接続端子と、
前記各端子と一対の接続線を介して接続され、前記一対の接続線間の電圧を検出する電圧検出回路、及び、前記一対の接続線間に接続されるコンデンサを有し、前記回線接続端子を介して前記電話回線網との間で信号の送受信を行うモデム部と、
制御部と、
記憶部と、
前記モデム部に電力を供給する電源部と、を備え、
前記制御部は、
前記電源部に対する前記モデム部への電力供給開始指示の時点から、経時的に前記電圧検出回路が検出する電圧値を前記記憶部に記憶させる記憶処理と、
前記電力供給開始指示から所定時間経過時に、前記電圧検出回路が検出する電圧値がゼロであった場合に、前記電源部に対して前記モデム部への電力供給の停止を指示する停止指示処理と、
前記記憶部に記憶された経時的に記憶された電圧値から、前記電圧検出回路が検出する電圧値が回線電圧を示す値からゼロに至るまでの経過時間を取得する経過時間取得処理と、
前記経過時間取得処理で取得された経過時間が、前記コンデンサの最大電荷蓄積量を放電完了するまでに要する放電所定時間と略同じである場合、前記停止指示処理から第１所定時間経過後、前記電源部に対して前記モデム部への電力供給を指示し、
前記経過時間取得処理で取得された経過時間が、前記放電所定時間より充分長い場合に、前記停止指示処理から第１所定時間より短い第２所定時間経過後、前記電源部に対して前記モデム部への電力供給を指示する、一時復帰処理と、
を実行する、画像処理装置。
【請求項２】
請求項１に記載の画像処理装置であって、
前記一時復帰処理時において、
前記電圧検出回路が回線電圧を検出した場合、前記電源部に対して前記モデム部への電力供給を維持させ、前記電圧検出回路が回線電圧を検出しない場合、前記電源部に対して前記モデム部への電力供給を停止させる、
画像処理装置。
【請求項３】
請求項２に記載の画像処理装置であって、
前記一時復帰処理において、
前記電力供給開始指示から前記停止指示処理までの電圧が一律ゼロであった場合、前記停止指示処理から前記第２所定時間より長く前記第１所定時間より短い第３所定時間経過後、前記電源部に対して前記モデム部への電力供給を指示する、
画像処理装置。
【請求項４】
請求項１から３のいずれか一項に記載の画像処理装置であって、
前記モデム部によって送受信される信号を画像処理する画像処理部、を備え、
前記制御部は、
前記電源部から前記画像処理部及び前記モデム部へ電力供給させ、前記モデム部による前記信号の受信又は命令に応じて前記画像処理部に前記信号の処理を指示する通常モード処理と、
前記通常モード処理開始時、又は、前記信号の受信若しくは前記命令があった時から所定時間の間、前記信号の受信又は命令が無い場合、前記電源部からの前記画像処理部への電力供給を停止させるスリープモード移行処理と、
を有し、
前記停止指示処理は、
前記スリープモード移行処理の開始から所定時間の間、前記信号の受信又は命令が無い場合、実行する、画像処理装置。
【請求項５】
請求項１から４のいずれか一項に記載の画像処理装置であって、
前記記憶処理において、
前記電源部に対する前記モデム部への前記電力供給開始指示の時点から、前記放電所定時間毎に前記電圧検出回路が検出する電圧値を前記記憶部に記憶させる、
画像処理装置。
【発明の詳細な説明】
【技術分野】
【０００１】
本発明は、電話回線に接続され、データの通信を行う画像処理装置に関する。
【背景技術】
【０００２】
従来、特許文献１のように、モデム部や、画像形成部、画像読取部といった画像処理部を有し、回線接続端子に電話回線が接続され、モデム部によって電話回線を介して、外部に電話やファックスの画像データ等の信号を送受信するファクス装置等の画像処理装置がある。この画像処理装置は、回線接続端子に電話回線が接続されると、電話回線を介して接続されている交換機によって、その回線接続端子間に回線電圧が印加される。そして、モデム部は、回線接続端子間の電圧を検出する電圧検出回路を有している。
【０００３】
この種の画像処理装置では、省エネモード時に、画像処理部、及び、モデム部内の各種回路への電力供給を停止させることで省電力が達成される。特に、回線接続端子に電話回線が接続されていない場合、すなわち、電圧検出回路が回線接続端子に印加される電圧がゼロである場合、モデム部全体に対して電力供給を停止させることで、画像処理装置が省エネを達成することができる。
【先行技術文献】
【特許文献】
【０００４】
【特許文献１】特開２０１４−３６３７９号公報
【発明の概要】
【発明が解決しようとする課題】
【０００５】
しかし、電圧検出回路が回線接続端子に印加される電圧がゼロの場合は、回線接続端子に電話回線が接続されていない場合だけではなく、電話回線を介して接続される交換機の異常や故障が生じた結果、回線電圧が無い場合がある。交換機の異常や故障によって回線電圧がゼロとなり、画像処理装置がモデム部全体への電力供給を一旦停止させると、交換機の異常や故障から交換機が復帰したとしても、回線接続端子に電話回線が接続されているにもかかわらずモデム部に電力が供給されない状態が続くことになる。特に、画像処理装置を使用するユーザからは、交換機の異常や故障が起こったのか、又は、交換機が復帰したのかが判別できないため、ユーザが画像処理装置に対して、モデム部全体への電力供給を停止させた状態からの復帰処理を指示することが困難であるという問題があった。
【０００６】
本発明の目的は、モデム部への電力供給が停止された状態からの復帰を適切なタイミングで行うことができる、画像処理装置を提供することである。
【課題を解決するための手段】
【０００７】
前記の目的を達成するため、本発明に係る画像処理装置は、電話回線網と接続可能な２つの端子を有する回線接続端子と、前記各端子と一対の接続線を介して接続され、前記一対の接続線間の電圧を検出する電圧検出回路、及び、前記一対の接続線間に接続されるコンデンサを有し、前記回線接続端子を介して前記電話回線網との間で信号の送受信を行うモデム部と、制御部と、記憶部と、前記モデム部に電力を供給する電源部と、を備え、前記制御部は、前記電源部に対する前記モデム部への電力供給開始指示の時点から、経時的に前記電圧検出回路が検出する電圧値を前記記憶部に記憶させる記憶処理と、前記電力供給開始指示から所定時間経過時に、前記電圧検出回路が検出する電圧値がゼロであった場合に、前記電源部に対して前記モデム部への電力供給の停止を指示する停止指示処理と、前記記憶部に記憶された経時的に記憶された電圧値から、前記電圧検出回路が検出する電圧値が回線電圧を示す値からゼロに至るまでの経過時間を取得する経過時間取得処理と、前記経過時間取得処理で取得された経過時間が、前記コンデンサの最大電荷蓄積量を放電完了するまでに要する放電所定時間と略同じである場合、前記停止指示処理から第１所定時間経過後、前記電源部に対して前記モデム部への電力供給を指示し、前記経過時間取得処理で取得された経過時間が、前記放電所定時間より充分長い場合に、前記停止指示処理から第１所定時間より短い第２所定時間経過後、前記電源部に対して前記モデム部への電力供給を指示する、一時復帰処理と、を実行する。
【０００８】
この構成によれば、画像処理装置は、一対の接続線間の電圧を検出する電圧検出回路によって、回線接続端子間の電圧値を取得する。画像処理装置がモデム部への電力供給を開始してから所定時間経過時に、電圧検出回路が回線接続端子に印加される電圧がゼロの場合は、モデム部への電力供給を停止する。
【０００９】
回線接続端子に電話回線が接続されていない場合、電話回線を介して接続される交換機の異常や故障が生じた場合は、モデム部自体使用することができない。省電力のために、画像処理装置は、モデム部への電力供給を停止する。
【００１０】
画像処理装置がモデム部への電力供給を停止してから所定時間毎に、モデム部への電力供給を行う必要がある。そして、その上述の所定時間を回線接続端子に印加される電圧がゼロに至る場合が、ユーザによって回線接続端子に電話回線が接続されている状態から非接続になる場合は、第１所定時間とし、交換機の故障による場合は、第１所定時間より短い第２所定時間とする。ユーザによって回線接続端子に電話回線が接続されている状態から非接続になる場合、ユーザ自身が回線接続端子から電話回線を引き抜いたことを理解しているため、第１所定時間を所定時間とする。一方、交換機等の異常や故障である場合、ユーザは、交換機の異常や故障が起こったのかどうかわからず、いつ、交換機が復帰したかも分からないため、第１所定時間より短い時間である第２所定時間を所定時間とするものである。
【００１１】
なお、ユーザによって回線接続端子に電話回線が接続されている状態から非接続になる場合、又は、交換機の故障による場合のいずれであるかについて、画像処理装置は、経時的に電圧検出回路が検出する電圧値を記憶部に記憶させ、その電圧値が回線電圧を示す値からゼロに至る経過時間から判断する。
【００１２】
画像処理装置には、回線接続端子の２つの端子に接続される一対の接続線間に、電話回線から送信される信号のノイズ除去を目的とするコンデンサが設けられている。回線接続端子に電話回線が接続されている場合、そのコンデンサには、電話回線を介して接続される交換機によって印加される回線電圧によって、その回線電圧と同じ電圧がコンデンサの両端にも加わり、コンデンサには電荷が蓄積される。
【００１３】
一方、ユーザによって回線接続端子に電話回線が接続されている状態から非接続になる場合、交換機によって印加される回線電圧が未印加になることで、コンデンサに蓄えられた電荷が電流として流れて放電完了するまでに要する放電所定時間を経過した後、回線接続端子間の電圧がゼロに至る。
【００１４】
他方、交換機が故障等している場合、放電所定時間より充分長い時間を経過した後、回線接続端子間の電圧がゼロに至る。交換機とコンデンサとの間で閉回路が形成されているが、交換機によって印加される回線電圧が未印加になることで、コンデンサに蓄えられた電荷が交換機側に電流として流れて、放電所定時間より充分長い時間を経過した後、回線接続端子間の電圧がゼロに至る。
【発明の効果】
【００１５】
本発明によれば、モデム部への電力供給が停止された状態からの復帰を適切なタイミングで行うことができる。
【図面の簡単な説明】
【００１６】
【図１】本発明の一実施形態に係るＭＦＰの電気的構成の要部を示すブロック図である。
【図２】ＭＦＰの電力消費状態の遷移を示す状態遷移図である。
【図３】状態遷移処理の流れを示すフローチャートである。
【図４】起動設定処理の流れを示すフローチャートである。
【図５】通常処理の流れを示すフローチャートである。
【図６】スリープ処理の流れを示すフローチャートである。
【図７】回線電圧取得処理の流れを示すフローチャートである。
【図８】回線電圧値の時間変化を示す図である。
【図９】時間設定処理の流れを示すフローチャートである。
【図１０】他の回線電圧取得処理の流れを示すフローチャートである。
【発明を実施するための形態】
【００１７】
以下では、本発明の実施の形態について、添付図面を参照しつつ詳細に説明する。
【００１８】
＜ＭＦＰの構成＞
【００１９】
ＭＦＰ１（画像処理装置の一例）は、図１に示されるように、プリンタ機能、スキャナ機能及びファクシミリ機能を有する複合機である。具体的には、ＭＦＰ１は、各種機能を実現するために、画像形成部１１（画像処理部の一例）、画像読取部１２（画像処理部の一例）、表示部１３、操作部１４、モデム部１５、ネットワーク通信部１６及び低圧電源１７（電源部の一例）を備えている。
【００２０】
画像形成部１１は、画像形成ジョブについての画像形成を実行し、画像形成ジョブに係る画像をシートに形成する。画像形成の方式は、電子写真方式であってもよいし、インクジェット方式であってもよい。
【００２１】
画像読取部１２は、イメージセンサ及びＡＦＥ（Analog Front End）などを備えている。画像読取部１２では、イメージセンサにより原稿の画像が読み取られて、イメージセンサからアナログ画像信号が出力され、ＡＦＥによりそのアナログ画像信号がデジタル画像データに変換される。
【００２２】
表示部１３は、例えば、液晶表示器からなる。
【００２３】
操作部１４は、各種の指示を入力するために操作される操作ボタン（例えば、電源キー、スタートキー、ＯＫキー、テンキー、カーソルキー）などを備えている。
【００２４】
モデム部１５は、モジュラジャック２１（回線接続端子の一例）を介して、電話回線網２２に接続される。モジュラジャック２１は、モジュラケーブル２３の一端が接続される端子であり、第１接点２４（端子の一例）及び第２接点２５（端子の一例）を有している。モジュラケーブル２３の一端がモジュラジャック２１に接続されると、モジュラケーブル２３の２つの局線のうちの一方が第１接点２４に接続され、他方が第２接点２５に接続される。モジュラケーブル２３の他端は、電話回線網２２に接続されている。
【００２５】
モデム部１５は、ＤＡＡ（Direct Access Arrangement）３１及びモデム３２を内蔵している。ＤＡＡ３１は、電圧検出回路３３を備えている。電圧検出回路３３は、一対の第１接続線３５及び第２接続線３６を介して、モジュラジャック２１の第１接点２４及び第２接点２５に接続されている。電話回線網２２を構成する電話回線には、４８Ｖ程度の直流電圧が印加されている。電圧検出回路３３は、電話回線から第１接続線３５及び第２接続線３６に入力される回線電圧（直流電圧）を検出する。ＤＡＡは、ＮＣＵ（Network Control Unit：網制御装置）とも呼ばれる装置であり、電話回線網２２への回線信号の送出及び電話回線網２２からの受信などを制御する回線信号送受信回路３４を更に備えている。モデム３２は、デジタル信号を電話回線網２２に送出するアナログ信号に変調し、電話回線網２２から受信されるアナログ信号をデジタル信号に復調する機能を有している。
【００２６】
また、モデム部１５は、電話回線網２２から送信される信号のノイズの除去を目的とするコンデンサ３７を備えている。コンデンサ３７の一対の電極３８，３９がそれぞれ第１接続線３５及び第２接続線３６と接続されることにより、コンデンサ３７は、一対の第１接続線３５及び第２接続線３６間に接続されている。モジュラジャック２１がモジュラケーブル２３を介して電話回線網２２に接続されている場合、電話回線網２２に接続される交換機（図示せず）とコンデンサ３７との間で閉ループが形成されるため、コンデンサ３７に電荷が蓄積される。
【００２７】
ネットワーク通信部１６は、ＰＣ（Personal Computer）などの外部端末２とのＬＡＮ（Local Area Network）を経由したネットワーク通信のための回路などを備えている。
【００２８】
低圧電源１７は、画像形成部１１、画像読取部１２、表示部１３、操作部１４、モデム部１５及びネットワーク通信部１６などの各部に供給される動作電圧を発生させる電源である。低圧電源１７は、動作状態で、商用交流電源から電圧（例えば、１００ボルト）の供給を受け、その電圧を動作電圧用の所定電圧（例えば、２４ボルト）に変換する。なお、表示部１３、操作部１４及びネットワーク通信部１６の動作電力は、低圧電源１７から直接供給されてもよいし、後述のＡＳＩＣ４１を経由して供給されてもよい。
【００２９】
低圧電源１７の動作／停止は、操作部１４に設けられている電源キー（電源ボタン）の押操作により交互に切り替わる。すなわち、低圧電源１７が停止状態で電源キーが押操作されると、低圧電源１７が動作状態になり、低圧電源１７が動作状態で電源キーが押操作されると、低圧電源１７が停止状態になる。
【００３０】
以下では、低圧電源１７の動作状態を「電源オンの状態」といい、低圧電源１７の停止状態を「電源オフの状態」という。
【００３１】
ＭＦＰ１は、ＡＳＩＣ（Application Specific Integrated Circuit）４１、ＲＯＭ４２及びＲＡＭ４３（記憶部の一例）を備えている。
【００３２】
ＡＳＩＣ４１（制御部の一例）は、ＣＰＵ４４を内蔵している。ＡＳＩＣ４１には、画像形成部１１、画像読取部１２、表示部１３、操作部１４、モデム部１５、ネットワーク通信部１６及び低圧電源１７が電気的に接続されている。ＡＳＩＣ４１の動作電圧は、低圧電源１７から供給される。ＣＰＵ４４は、ＲＯＭ４２に記憶されているプログラムを実行し、操作部１４やモデム部１５などからＡＳＩＣ４１に入力される信号などに基づいて、画像形成部１１、画像読取部１２、表示部１３、モデム部１５及びネットワーク通信部１６を制御する。ＣＰＵ４４による制御（プログラム）の実行時、ＲＡＭ４３は、ＣＰＵ４４によって、ワークエリアとして使用される。ＲＡＭ４３には、ＮＶＲＡＭ（Non Volatile RAM）などの不揮発性メモリが含まれていてもよい。
【００３３】
＜状態遷移＞
【００３４】
ＭＦＰ１では、図２に示されるように、モデム部１５への電話回線網２２の接続の有無、画像形成部１１に対する画像形成の実行命令の有無、画像読取部１２に対する画像読取の実行命令の有無、操作部１４の操作の有無等に応じて、電力消費状態が遷移する。
【００３５】
電源オフの状態から電源キーが押操作（オン）されると、ＭＦＰ１の電力消費状態が待機状態となる。待機状態では、低圧電源１７から画像形成部１１、画像読取部１２、表示部１３、操作部１４、モデム部１５及びネットワーク通信部１６に動作電力が供給される。待機状態は、操作部１４のキー操作による画像形成又は画像読取の実行命令待ち、モデム部１５又はネットワーク通信部１６による画像形成に係るデータの受信待ちの状態である。画像形成部１１に動作電力が供給されているので、画像形成の実行命令又は画像形成に係るデータの受信があると、待機状態から画像形成部１１による画像形成の実行状態に直ちに移行する。また、画像読取部１２に動作電力が供給されているので、画像読取部１２による画像読取の実行命令があると、待機状態から画像読取部１２による画像読取の実行状態に直ちに移行する。画像形成又は画像読取の実行終了後は、電力消費状態が待機状態となる。
【００３６】
なお、以下では、低圧電源１７から画像形成部１１、画像読取部１２、表示部１３、操作部１４、モデム部１５及びネットワーク通信部１６等の各部への動作電力の供給及び動作電力が供給されている状態を「オン」と表現し、各部への動作電力の供給の停止及び動作電力の供給が停止されている状態を「オフ」と表現する。
【００３７】
待機状態において、画像形成若しくは画像読取の実行命令又は画像形成に係るデータの受信がなく、所定時間Ｔ１が経過すると、電力消費状態が待機状態からスリープ状態に移行する。スリープ状態では、画像形成部１１、画像読取部１２及び表示部１３がオフにされ、操作部１４、モデム部１５及びネットワーク通信部１６がオンにされる。したがって、スリープ状態は、待機状態よりも消費電力が低い。スリープ状態において、画像形成若しくは画像読取の実行命令又は画像形成に係るデータの受信があると、電力消費状態がスリープ状態から待機状態に戻り、画像形成部１１、画像読取部１２及び表示部１３がオンされる。そして、待機状態から画像形成又は画像読取の実行状態に移行する。
【００３８】
スリープ状態において、画像形成若しくは画像読取の実行命令又は画像形成に係るデータの受信がなく、所定時間Ｔ２が経過し、その時点でモデム部１５が電話回線網２２（電話回線）と接続されていない場合、電力消費状態がスリープ状態からオフモード状態に移行する。オフモード状態では、画像形成部１１、画像読取部１２、表示部１３、モデム部１５及びネットワーク通信部１６がオフにされ、操作部１４がオンにされる。したがって、オフモード状態は、スリープ状態よりも消費電力が更に低く、消費電力が最も低い状態である。
【００３９】
オフモード状態で所定時間Ｔ３が経過すると、電力消費状態がオフモード状態から一時復帰モード状態に移行する。一時復帰モード状態では、モデム部１５がオンされる。そして、モデム部１５の電圧検出回路３３により検出される電圧値が０である場合、つまりモデム部１５が電話回線網２２に接続されていない場合は、モデム部１５がオフされて、電力消費状態が一時復帰モード状態からオフモードに戻る。一方、電圧検出回路３３により検出される電圧値が０でない場合、つまりモデム部１５が電話回線網２２に接続されている場合は、電力消費状態が一時復帰モード状態から待機状態に移行する。
【００４０】
オフモード状態において、電源キーが押操作（オン）されると、電力消費状態がオフモード状態から待機状態に移行する。
【００４１】
電力消費状態を遷移させるため、ＣＰＵ４４により、次に説明する状態遷移処理が実行される。
【００４２】
＜状態遷移処理＞
【００４３】
状態遷移処理では、ＣＰＵ４４は、起動設定処理を実行する（Ｓ１）。
【００４４】
＊起動設定処理
【００４５】
起動設定処理では、図４に示されるように、ＣＰＵ４４は、ＲＡＭ４３に設定されているフラグの状態を０にリセットする（Ｓ１００１）。
【００４６】
ＣＰＵ４４は、表示部１３及び操作部１４をオンにし（Ｓ１００２）、画像形成部１１及び画像読取部１２をオンにし（Ｓ１００３）、ネットワーク通信部１６をオンにする（Ｓ１００４）。また、ＣＰＵ４４は、モデム部１５をオンにする（Ｓ１００５）。これにより、ＭＦＰ１の電力消費状態は、画像形成部１１、画像読取部１２、表示部１３、操作部１４、モデム部１５及びネットワーク通信部１６の全てがオンにされた待機状態となる。
【００４７】
＊回線電圧取得処理の開始
【００４８】
図３に示されるように、起動設定処理の終了後、ＣＰＵ４４は、回線電圧取得処理に対して開始を指示する（Ｓ２）。回線電圧取得処理は、モデム部１５の電圧検出回路３３により検出される回線電圧値を取得する処理であり、状態遷移処理と並行して動作する。回線電圧取得処理については、後述する。
【００４９】
＊通常処理
【００５０】
回線電圧取得処理の開始後、ＣＰＵ４４は、通常処理を実行する（Ｓ３）。
【００５１】
通常処理では、図５に示されるように、ＣＰＵ４４は、所定時間Ｔ１の計測を開始する（Ｓ３１）。
【００５２】
所定時間Ｔ１の計測中、ＣＰＵ４４は、操作部１４のキー操作による画像形成又は画像読取の実行命令、及び、モデム部１５又はネットワーク通信部１６による画像形成に係る信号（データ）の受信の有無を判断する（Ｓ３２）。なお、以下では、操作部１４のキー操作による画像形成又は画像読取の実行命令を、単に「処理命令」といい、モデム部１５又はネットワーク通信部１６による画像形成に係るデータの受信を、単に「データ受信」という。
【００５３】
所定時間Ｔ１の計測中に処理命令が入力又は受信された場合には（Ｓ３２：ＹＥＳ）、ＣＰＵ４４は、所定時間Ｔ１の計測を終了し、処理命令又はデータ受信に応じて、画像形成部１１又は画像読取部１２を制御して、画像形成又は画像読取を実行する（Ｓ３３）。なお、操作部１４のキー操作によりコピーの実行が指示された場合には、画像読取部１２による画像読取の実行に続き、画像形成部１１による画像形成が実行される。画像形成又は画像読取の実行後、ＣＰＵ４４は、所定時間Ｔ１の計測を新たに開始する（Ｓ３１）。
【００５４】
所定時間Ｔ１の計測中に処理命令が入力又は受信されずに（Ｓ３１：ＮＯ）、第１待機状態の開始時又は処理命令の入力若しくは受信時から所定時間Ｔ１が経過すると（Ｓ３４：ＹＥＳ）、ＣＰＵ４４は、通常処理を終了する。
【００５５】
＊スリープ処理
【００５６】
図３に示されるように、通常処理の終了後、ＣＰＵ４４は、スリープ処理を実行する（Ｓ４）。
【００５７】
スリープ処理では、図６に示されるように、ＣＰＵ４４は、表示部１３をオフにし（Ｓ４１）、画像形成部１１及び画像読取部１２をオフにする（Ｓ４２）。これにより、ＭＦＰ１の電力消費状態は、画像形成部１１、画像読取部１２及び表示部１３がオフにされ、操作部１４、モデム部１５及びネットワーク通信部１６がオンにされたスリープ状態となる。
【００５８】
スリープ状態の開始とともに、ＣＰＵ４４は、所定時間Ｔ２の計測を開始する（Ｓ４３）。
【００５９】
そして、ＣＰＵ４４は、処理命令及びデータ受信の有無を判断する（Ｓ４４）。
【００６０】
処理命令及びデータ受信がない場合（Ｓ４４：ＮＯ）、ＣＰＵ４４は、所定時間Ｔ２の計測を続け、スリープ状態の開始から所定時間Ｔ２が経過したか否かを判断する（Ｓ４５）。
【００６１】
処理命令及びデータ受信がなく（Ｓ４４：ＮＯ）、スリープ状態の開始から所定時間Ｔ２が経過すると（Ｓ４５：ＹＥＳ）、ＣＰＵ４４は、スリープ処理を終了する。
【００６２】
スリープ状態の開始から所定時間Ｔ２が経過する前に、処理命令又はデータ受信があった場合、ＣＰＵ４４は、起動設定処理を実行する（図３のＳ１）。そのため、ＭＦＰ１の電力消費状態は、スリープ状態から待機状態に移行する。そして、その後の通常処理において、ＣＰＵ４４は、処理命令又はデータ受信があったと判断し（図５のＳ３２：ＹＥＳ）、その処理命令又はデータ受信に応じた画像形成又は画像読取を実行させる（Ｓ３３）。
【００６３】
＊オフモード状態移行判断
【００６４】
図３に示されるように、スリープ移行処理の終了後、ＣＰＵ４４は、モデム部１５の電圧検出回路３３により検出される回線電圧値がゼロであるか否かを判断する（Ｓ５）。ＣＰＵ４４は、回線電圧値が１ボルト未満である場合、回線電圧値がゼロであると判断し、回線電圧値が１ボルト以上である場合、回線電圧値がゼロでないと判断する。
【００６５】
回線電圧値がゼロでない場合（Ｓ５：ＮＯ）、ＣＰＵ４４は、スリープ処理を実行する（Ｓ４）。これにより、ＭＦＰ１の電力消費状態は、スリープ状態に維持される。
【００６６】
一方、回線電圧値がゼロである場合（Ｓ５：ＮＯ）、ＣＰＵ４４は、ネットワーク通信部１６をオフにする（Ｓ６）。また、ＣＰＵ４４は、モデム部１５をオフにする（Ｓ７）。その結果、ＭＦＰ１の電力消費状態は、画像形成部１１、画像読取部１２、表示部１３、モデム部１５及びネットワーク通信部１６がオフにされ、操作部１４がオンにされたオフモード状態となる。
【００６７】
＊回線電圧取得処理
【００６８】
オフモード状態の開始に伴い、ＣＰＵ４４は、回線電圧取得処理に対して終了を指示する（Ｓ８）。
【００６９】
ここで、回線電圧取得処理について説明する。
【００７０】
回線電圧取得処理では、図７に示されるように、ＣＰＵ４４は、ＲＡＭ４３に設けられている取得回数カウンタのカウント値Ｎを０にリセットする（Ｓ１０１）。
【００７１】
その後、ＣＰＵ４４は、その０にリセットしたカウント値Ｎをインクリメント（＋１）する（Ｓ１０２）。
【００７２】
ＣＰＵ４４は、モデム部１５の電圧検出回路３３により検出される回線電圧値を取得する（Ｓ１０３）。
【００７３】
回線電圧値の取得後、ＣＰＵ４４は、先に取得した回線電圧値がＲＡＭ４３に今回取得値ＶＯＬ１として記憶されている場合、その今回取得値ＶＯＬ１を前回取得値ＶＯＬ２としてＲＡＭ４３に記憶させる（Ｓ１０４）。
【００７４】
そして、ＣＰＵ４４は、新たに取得した回線電圧値を今回取得値ＶＯＬ１としてＲＡＭ４３に記憶させる（Ｓ１０５）。
【００７５】
その後、ＣＰＵ４４は、取得回数カウンタのカウント値Ｎが１であり、かつ、今回取得値ＶＯＬ１が１ボルト（Ｖ）未満であるか否かを判断（以下、この判断を「ステップＳ１０６の判断」という。）する（Ｓ１０６）。
【００７６】
取得回数カウンタのカウント値Ｎが１であり、かつ、今回取得値ＶＯＬ１が１ボルト未満である場合（Ｓ１０６：ＹＥＳ）、ＣＰＵ４４は、ＲＡＭ４３に設けられている接続状態フラグ（ＦＬＡＧ）に１をセットする（Ｓ１０７）。
【００７７】
接続状態フラグに１をセットした後、ＣＰＵ４４は、状態遷移処理により回線電圧取得処理の終了が指示されたか否かを判断する（Ｓ１０８）。電圧検出回路３３により検出される回線電圧値が１ボルト未満に低下すると、図３に示される状態遷移処理のステップＳ５において、回線電圧値がゼロであると判断され、ステップＳ８において、回線電圧取得処理に対して終了が指示される。したがって、ＣＰＵ４４は、接続状態フラグに１をセットした後、回線電圧取得処理の終了が指示されたと判断し（Ｓ１０８：ＹＥＳ）、回線電圧取得処理を終了する。
【００７８】
ＣＰＵ４４は、ステップＳ１０６の判断を否定した場合（Ｓ１０６：ＮＯ）、今回取得値ＶＯＬ１が１ボルト未満であり、かつ、前回取得値ＶＯＬ２が４５Ｖ以上であるか否かを判断（以下、この判断を「ステップＳ１０９」の判断という。）する（Ｓ１０９）。
【００７９】
今回取得値ＶＯＬ１が１ボルト未満であり、かつ、前回取得値ＶＯＬ２が４５Ｖ以上である場合（Ｓ１０９：ＹＥＳ）、ＣＰＵ４４は、接続状態フラグに２をセットする（Ｓ１１０）。電圧検出回路３３により検出される回線電圧値が１ボルト未満に低下すると、回線電圧取得処理に対して終了が指示されるので、ＣＰＵ４４は、接続状態フラグに２をセットした後、回線電圧取得処理の終了が指示されたと判断し（Ｓ１０８：ＹＥＳ）、回線電圧取得処理を終了する。
【００８０】
なお、回線電圧値の２回目以降の取得後は、取得回数カウンタのカウント値Ｎが２以上であるので、回線電圧値の２回目以降の取得以降、ステップＳ１０６の判断が肯定される場合はない。
【００８１】
ＣＰＵ４４は、ステップＳ１０９の判断を否定した場合（Ｓ１０９：ＮＯ）、今回取得値ＶＯＬ１が１ボルト以上４５ボルト未満であり、かつ、前回取得値ＶＯＬ２が１ボルト以上４５ボルト未満であり、かつ、今回取得値ＶＯＬ１が前回取得値ＶＯＬ２未満であるか否かを判断（以下、この判断を「ステップＳ１１１の判断」という。）する（Ｓ１１１）。すなわち、ステップＳ１１１の判断では、今回取得値ＶＯＬ１及び前回取得値ＶＯＬ２の両方が１ボルト以上４５ボルト未満であって、今回取得値ＶＯＬ１が前回取得値ＶＯＬ２よりも低下しているか否かが判断される。
【００８２】
今回取得値ＶＯＬ１及び前回取得値ＶＯＬ２の両方が１ボルト以上４５ボルト未満であって、今回取得値ＶＯＬ１が前回取得値ＶＯＬ２よりも低下している場合（Ｓ１１１：ＹＥＳ）、ＣＰＵ４４は、電圧低下カウンタのカウント値ＣＯＵＮＴをインクリメント（＋１）する（Ｓ１１２）。電圧低下カウンタのカウント値ＣＯＵＮＴは、回線電圧取得処理の開始前に０にリセットされている。
【００８３】
その後、ＣＰＵ４４は、状態遷移処理により回線電圧取得処理の終了が指示されたか否かを判断し（Ｓ１０８）、回線電圧取得処理の終了が指示されていない場合（Ｓ１０８：ＮＯ）、ＣＰＵ４４は、取得回数カウンタのカウント値Ｎをインクリメントし（Ｓ１０２）、電圧検出回路３３により検出される回線電圧値を新たに取得する（Ｓ１０３）。
【００８４】
ＣＰＵ４４は、ステップＳ１１１の判断を否定した場合、今回取得値ＶＯＬ１が１ボルト未満であるか否かを判断する（Ｓ１１３）。
【００８５】
今回取得値ＶＯＬ１が１Ｖ未満である場合（Ｓ１１３：ＹＥＳ）、ＣＰＵ４４は、接続状態フラグが０であるか否かを判断する（Ｓ１１４）。また、今回取得値ＶＯＬ１が１Ｖ未満である場合、図３に示される状態遷移処理のステップＳ５において、回線電圧値がゼロであると判断され、ステップＳ８で回線電圧取得処理に対して終了が指示される。
【００８６】
接続状態フラグが０である場合（Ｓ１１４：ＹＥＳ）、ＣＰＵ４４は、電圧低下カウンタのカウント値ＣＯＵＮＴが３以上であるか否かを判断する（Ｓ１１５）。
【００８７】
そして、電圧低下カウンタのカウント値ＣＯＵＮＴが３未満である場合（Ｓ１１５：ＮＯ）、ＣＰＵ４４は、接続状態フラグに２をセットする（Ｓ１１６）。そして、回線電圧取得処理の終了が指示されているので（Ｓ１０８：ＹＥＳ）、ＣＰＵ４４は、回線電圧取得処理を終了する。したがって、この場合、接続状態フラグに２がセットされた状態で、回線電圧取得処理が終了されることになる。
【００８８】
一方、カウント値ＣＯＵＮＴが３以上である場合（Ｓ１１５：ＹＥＳ）、ＣＰＵ４４は、接続状態フラグに３をセットする（Ｓ１１７）。そして、回線電圧取得処理の終了が指示されているので（Ｓ１０８：ＹＥＳ）、ＣＰＵ４４は、回線電圧取得処理を終了する。したがって、この場合、接続状態フラグに３がセットされた状態で、回線電圧取得処理が終了されることになる。
【００８９】
また、ＣＰＵ４４は、ステップＳ１１１の判断の否定後、今回取得値ＶＯＬ１が１ボルト以上であると判断した場合は（Ｓ１１３：ＹＥＳ）、電圧低下カウンタのカウント値ＣＯＵＮＴを０にリセットし（Ｓ１１８）、接続状態フラグを０にリセットして（Ｓ１１９）、状態遷移処理により回線電圧取得処理の終了が指示されたか否かを判断する（Ｓ１０８）。そして、回線電圧取得処理の終了が指示されていない場合（Ｓ１０８：ＮＯ）、ＣＰＵ４４は、取得回数カウンタのカウント値Ｎをインクリメントし（Ｓ１０２）、電圧検出回路３３により検出される回線電圧値を新たに取得する（Ｓ１０３）。
【００９０】
例えば、回線電圧値の取得開始時から、つまり待機状態の開始時（低圧電源１７から画像形成部１１、画像読取部１２、表示部１３、操作部１４、モデム部１５及びネットワーク通信部１６への動作電力の供給開始時）から、モジュラジャック２１にモジュラケーブル２３が接続されておらず、モデム部１５が電話回線網２２に接続されていない場合であって、その後もモジュラジャック２１にモジュラケーブル２３が接続されない場合、モデム部１５の電圧検出回路３３により検出される回線電圧値が１ボルト未満である状態が続く。図８（ａ）には、回線電圧値がその取得開始時から１ボルト未満である場合の回線電圧値の時間変化（パターンＡ）が示されている。
【００９１】
この場合、回線電圧取得処理では、初回に取得される回線電圧値が１ボルト未満であるから、ステップＳ１０６の判断が肯定されて、接続状態フラグに１がセットされる（Ｓ１０７）。そして、接続状態フラグに１がセットされた状態で、回線電圧取得処理が終了される。
【００９２】
待機状態の開始時には、モジュラジャック２１にモジュラケーブル２３が接続されており、モデム部１５が電話回線網２２に接続されていたが、待機状態又はスリープ状態中に、モジュラジャック２１からモジュラケーブル２３が引き抜かれた場合、電話回線網２２に接続される交換機（図示せず）とコンデンサ３７（図２参照）との間で形成されていた閉ループがオープンになるので、たとえば、コンデンサ３７に蓄積されていた電荷がモデム部１５に内蔵されている抵抗を流れることにより急激に放電され、コンデンサ３７の最大蓄積量の電荷を放電完了するまでに要する放電所定時間を経過した後、回線電圧値がゼロに至る。図８（ｂ）には、回線電圧値が４５ボルト以上から１ボルト未満まで低下するのに要した時間が放電所定時間と略同じ時間であった場合の回線電圧値の時間変化（パターンＢ）が示されている。
【００９３】
この場合、回線電圧取得処理では、初回に取得される回線電圧値が１ボルト以上であるから、ステップＳ１０６の判断が否定される。モデム部１５が電話回線網２２に接続され、今回取得値ＶＯＬ１が４５ボルト以上である状態が続いている間は、ステップＳ１０９，Ｓ１１１の判断も否定される。ステップＳ１１１の判断の否定後、今回取得値ＶＯＬ１が１ボルト以上であると判断されるので（Ｓ１１３：ＮＯ）、電圧低下カウンタのカウント値ＣＯＵＮＴが０であり（Ｓ１１８）、接続状態フラグの状態が０のまま、回線電圧値の取得が繰り返される。そして、前回取得値ＶＯＬ２が４５ボルト以上であったが、今回取得値ＶＯＬ１が１ボルト未満に低下した場合、ステップＳ１０９の判断が肯定されて、接続状態フラグに２がセットされる（Ｓ１１０）。そして、接続状態フラグに２がセットされた状態で、回線電圧取得処理が終了される。
【００９４】
待機状態の開始時から、モジュラジャック２１にモジュラケーブル２３が接続されており、モデム部１５が電話回線網２２に接続されているが、待機状態又はスリープ状態中に、電話回線網２２に接続される交換機の異常や故障等が生じた場合、その交換機とコンデンサ３７との間で形成される閉ループは維持されるので、コンデンサに蓄積された電荷がその閉ループを構成する電線を流れることにより緩やかに放電され、放電所定時間よりも十分に長い時間をかけて、回線電圧値が４５ボルト以上からゼロまで低下する。図８（ｃ）には、放電所定時間よりも十分に長い時間をかけて、回線電圧値が４５ボルト以上からゼロまで低下した場合の回線電圧値の時間変化（パターンＣ）が示されている。
【００９５】
この場合、回線電圧取得処理では、初回に取得される回線電圧値が１ボルト以上であるから、ステップＳ１０６の判断が否定される。モデム部１５が電話回線網２２に接続され、今回取得値ＶＯＬ１が４５ボルト以上である状態が続いている間は、ステップＳ１０９，Ｓ１１１の判断も否定される。ステップＳ１１１の判断の否定後、今回取得値ＶＯＬ１が１ボルト以上であると判断されるので（Ｓ１１３：ＮＯ）、電圧低下カウンタのカウント値ＣＯＵＮＴが０であり（Ｓ１１８）、接続状態フラグの状態が０のまま、回線電圧値の取得が繰り返される。
【００９６】
２回連続して取得される回線電圧値がともに４５ボルト未満であり、その２つの回線電圧値である今回取得値ＶＯＬ１及び前回取得値ＶＯＬ２の大小関係が「今回取得値ＶＯＬ１＜前回取得値ＶＯＬ２」になると、ステップＳ１１１の判断が肯定され、電圧低下カウンタのカウント値ＣＯＵＮＴが１にされる（Ｓ１１２）。次に回線電圧値が取得され、その回線電圧値、つまり今回取得値ＶＯＬ１が１ボルト以上４５ボルト未満であり、今回取得値ＶＯＬ１が前回取得値ＶＯＬ２よりも低下している場合、ステップＳ１１１の判断が肯定され、電圧低下カウンタのカウント値ＣＯＵＮＴがさらにインクリメントされる。回線電圧値が緩やかに低下している場合、今回取得値ＶＯＬ１が１ボルト未満に低下するまで、ステップＳ１１１の判断が肯定されて、電圧低下カウンタのカウント値ＣＯＵＮＴのインクリメントが繰り返される。今回取得値ＶＯＬ１が１ボルト未満に低下したときには、電圧低下カウンタのカウント値ＣＯＵＮＴが３以上になっていれば、接続状態フラグに３がセットされる（Ｓ１１７）。そして、接続状態フラグに３がセットされた状態で、回線電圧取得処理が終了される。
【００９７】
なお、モジュラジャック２１からモジュラケーブル２３が引き抜かれた場合であっても、前回取得値ＶＯＬ２が４５ボルト以上の状態から、今回取得値ＶＯＬ１が１ボルト以上の電圧値に低下し、その次に取得される回線電圧値が１ボルト未満に低下している場合等、回線電圧値が取得される周期によっては、前回取得値ＶＯＬ２が４５ボルト以上の状態から、今回取得値ＶＯＬ１が１ボルト未満に低下しない場合も想定される。そこで、回線電圧値が４５ボルト以上である状態から、回線電圧値が３回取得されるまでに、回線電圧値が１ボルト未満に低下した場合には、電圧低下カウンタのカウント値ＣＯＵＮＴが２以下であるから、接続状態フラグに２がセットされる（Ｓ１１６）。そして、接続状態フラグに２がセットされた状態で、回線電圧取得処理が終了される。
【００９８】
以上の内容を纏めると、待機状態の開始時からモジュラジャック２１にモジュラケーブル２３が接続されていない状態が続く場合、接続状態フラグに１がセットされ、接続状態フラグに１がセットされた状態で、回線電圧取得処理が終了される。待機状態の開始時には、モジュラジャック２１にモジュラケーブル２３が接続されていたが、待機状態又はスリープ状態中に、モジュラジャック２１からモジュラケーブル２３が引き抜かれた場合、接続状態フラグに２がセットされ、接続状態フラグに２がセットされた状態で、回線電圧取得処理が終了される。待機状態の開始時から、モジュラジャック２１にモジュラケーブル２３が接続されているが、待機状態又はスリープ状態中に、電話回線網２２に接続される交換機の異常や故障等が生じたために、回線電圧値が緩やかに１ボルト未満まで低下した場合、接続状態フラグに３がセットされ、接続状態フラグに３がセットされた状態で、回線電圧取得処理が終了される。
【００９９】
＊時間設定処理
【０１００】
図３に示されるように、ＣＰＵ４４は、回線電圧取得処理に対する終了の指示後、時間設定処理を実行する（Ｓ９）。
【０１０１】
時間設定処理では、図９に示されるように、ＣＰＵ４４は、接続状態フラグの状態が１であるか否かを判断する（Ｓ９１）。
【０１０２】
接続状態フラグの状態が１である場合（Ｓ９１：ＹＥＳ）、ＣＰＵ４４は、所定時間Ｔ３を第１時間よりも短く、第２時間よりも長い第３時間（例えば、１時間）に設定し（Ｓ９２）、時間設定処理を終了する。
【０１０３】
接続状態フラグの状態が１でない場合（Ｓ９１：ＮＯ）、ＣＰＵ４４は、接続状態フラグの状態が２であるか否かを判断する（Ｓ９３）。
【０１０４】
接続状態フラグの状態が２である場合（Ｓ９３：ＹＥＳ）、ＣＰＵ４４は、所定時間Ｔ３を第１時間（例えば、５時間）に設定し（Ｓ９４）、時間設定処理を終了する。
【０１０５】
接続状態フラグの状態が１でも２でもない場合（Ｓ９３：ＮＯ）、つまり接続状態フラグの状態が３である場合、ＣＰＵ４４は、所定時間Ｔ３を第１時間よりも短い第２時間（例えば、３０分）に設定し（Ｓ９５）、時間設定処理を終了する。
【０１０６】
＊オフモード処理
【０１０７】
図３に示されるように、ＣＰＵ４４は、時間設定処理の終了後、所定時間Ｔ３の計測を開始する（Ｓ１０）。
【０１０８】
そして、ＣＰＵ４４は、その計測開始から所定時間Ｔ３が経過したか否かを判断する（Ｓ１１）。
【０１０９】
所定時間Ｔ３が経過していない場合（Ｓ１１：ＮＯ）、操作部１４の電源キーが押操作（オン）されたか否かを判断する（Ｓ１２）。
【０１１０】
電源キーがオンされない場合（Ｓ１２：ＮＯ）、ＣＰＵ４４は、所定時間Ｔ３の計測を続け、その計測開始から所定時間Ｔ３が経過したか否かを判断する（Ｓ１１）。
【０１１１】
電源キーがオンされることなく（Ｓ１２：ＮＯ）、所定時間Ｔ３が経過すると（Ｓ１１：ＹＥＳ）、ＣＰＵ４４は、モデム部１５をオンにする（Ｓ１３）。これにより、ＭＦＰ１の電力消費状態は、オフモード状態から一時復帰モード状態に移行する。
【０１１２】
一時復帰モード状態において、ＣＰＵ４４は、モデム部１５の電圧検出回路３３により検出される電圧値を取得する（Ｓ１４）。
【０１１３】
電圧値の取得後、ＣＰＵ４４は、その電圧値から回線電圧の有無を判断する（Ｓ１５）。具体的には、ＣＰＵ４４は、電圧検出回路３３により検出される電圧値が０でない場合、回線電圧有りと判断する（Ｓ１５：ＹＥＳ）。言い換えれば、ＣＰＵ４４は、電圧検出回路３３により回線電圧が検出されている場合、回線電圧有りと判断する。一方、ＣＰＵ４４は、電圧検出回路３３により検出される電圧値が０である場合、回線電圧無しと判断する（Ｓ１５：ＮＯ）。
【０１１４】
ＣＰＵ４４は、回線電圧無しと判断した場合（Ｓ１５：ＮＯ）、モデム部１５をオフにする（Ｓ１６）。これにより、ＭＦＰ１の電力消費状態は、一時復帰モード状態からオフモード状態に戻る。
【０１１５】
オフモード状態に戻ると、ＣＰＵ４４は、所定時間Ｔ３の計測を新たに開始する（Ｓ１０）。
【０１１６】
一方、ＣＰＵ４４は、回線電圧有りと判断した場合（Ｓ１５：ＹＥＳ）、状態遷移処理を終了し、状態遷移処理を新たに開始する。状態遷移処理が新たに開始されることにより、ＭＦＰ１の電力消費状態は、一時復帰モード状態から待機状態に移行する。
【０１１７】
＜作用効果＞
【０１１８】
以上のように、回線電圧取得処理において、モデム部１５の電圧検出回路３３によって、回線電圧値が取得される。モデム部１５がオンにされてから所定時間経過時、電圧検出回路３３によって検出される電圧（回線電圧値）がゼロである場合、モデム部１５がオフにされる。たとえば、モデム部１５がオンされてから、画像形成若しくは画像読取の実行命令又は画像形成に係るデータの受信がなく、所定時間Ｔ１が経過し、その後も画像形成若しくは画像読取の実行命令又は画像形成に係るデータの受信がなく、さらに所定時間が経過し、その時点で電圧検出回路３３によって検出される電圧がゼロである場合、モデム部１５がオフにされる。この場合、モデム部１５がオンにされてからの所定時間経過時は、モデム部１５がオンにされてからの時間Ｔ１＋Ｔ２の経過時となる。
【０１１９】
モジュラジャック２１からモジュラケーブル２３が接続されておらず、モデム部１５に電話回線網２２が接続されていない場合、電話回線網２２に接続される交換機の異常や故障が生じた場合は、モデム部１５自体を使用することができない。したがって、省電力のために、モデム部１５がオフにされる（モデム部１５への電力供給が停止される）。
【０１２０】
モデム部１５がオフにされているオフモード状態では、モデム部１５が電話回線網２２に接続されているか否かを確認するために、オフモード状態の開始から所定時間Ｔ３が経過する毎、つまりモデム部１５がオフにされてから所定時間Ｔ３が経過する毎に、モデム部１５をオンにして、電力消費状態をオフモード状態から一時復帰モード状態に移行する必要がある。
【０１２１】
ユーザによってモジュラジャック２１からモジュラケーブル２３が引き抜かれて、回線電圧値がゼロ（１ボルト未満）に至った場合、ＲＡＭ４３に設けられている接続状態フラグに２がセットされる。この場合、所定時間Ｔ３が第１時間（例えば、５時間）に設定される。そして、オフモード状態では、所定時間Ｔ３である第１時間が経過する毎に、モデム部１５がオンにされて、オフモード状態から一時復帰モード状態に移行される。
【０１２２】
一方、電話回線網２２に接続される交換機の異常や故障等が生じたために、回線電圧値がゼロに至った場合、接続状態フラグに３がセットされる。この場合、所定時間Ｔ３が第１時間よりも短い第２時間（例えば、３０分）に設定される。そして、オフモード状態では、第１時間よりも短い第２時間が経過する毎に、モデム部１５がオンにされて、オフモード状態から一時復帰モード状態に移行される。
【０１２３】
ユーザによってモジュラジャック２１からモジュラケーブル２３が引き抜かれることにより、回線電圧値がゼロに至った場合、ユーザ自身がモジュラジャック２１からモジュラケーブル２３を引き抜いたことを理解しているため、所定時間Ｔ３が第１時間に設定される。一方、交換機等の異常や故障により、回線電圧値がゼロに至った場合、ユーザは、交換機等の異常や故障が起こったのかどうかわからず、また、いつ交換機等が復帰したかも分からないため、所定時間Ｔ３が第１時間より短い時間である第２時間に設定される。これにより、電話回線網２２に接続される交換機の異常や故障等が解消した場合に、モデム部１５を早期にオンにすることができる。
【０１２４】
よって、モデム部１５への電力供給が停止された状態からの復帰を適切なタイミングで行うことができる。
【０１２５】
また、待機状態の開始時からモジュラジャック２１にモジュラケーブル２３が接続されていない状態が続く場合、接続状態フラグに１がセットされる。この場合、モジュラジャック２１にモジュラケーブル２３が接続されて、モデム部１５に電話回線網２２が接続される可能性があるため、所定時間Ｔ３が第１時間よりも短く、第２時間よりも長い第３時間（例えば、１時間）に設定される。そして、オフモード状態では、第３時間が経過する毎に、モデム部１５がオンにされて、オフモード状態から一時復帰モード状態に移行される。これにより、モデム部１５に頻繁に電力が供給されることによる無駄を抑制することができ、消費電力の低減を図ることができる。
【０１２６】
＜回線電圧取得処理の他の例＞
【０１２７】
図７に示される回線電圧取得処理に代えて、図１０に示される回線電圧取得処理が実行されてもよい。
【０１２８】
図１０に示される回線電圧取得処理では、ＣＰＵ４４は、ＲＡＭ４３に設けられている接続状態フラグ（ＦＬＡＧ）の状態を０にリセットする（Ｓ２０１）。
【０１２９】
ＣＰＵ４４は、モデム部１５の電圧検出回路３３により検出される回線電圧値を取得する（Ｓ２０２）。
【０１３０】
回線電圧値の取得後、ＣＰＵ４４は、その取得した回線電圧値を初期電圧値ＣＶＯＬとしてＲＡＭ４３に記憶させる（Ｓ２０３）。
【０１３１】
そして、ＣＰＵ４４は、初期電圧値ＣＶＯＬが１ボルト（Ｖ）未満であるか否かを判断する（Ｓ２０４）。
【０１３２】
初期電圧値ＣＶＯＬが１ボルト未満である場合（Ｓ２０４：ＹＥＳ）、ＣＰＵ４４は、ＲＡＭ４３に設けられている接続状態フラグに１をセットする（Ｓ２０５）。
【０１３３】
接続状態フラグに１をセットした後、ＣＰＵ４４は、状態遷移処理により回線電圧取得処理の終了が指示されたか否かを判断する（Ｓ２０６）。電圧検出回路３３により検出される回線電圧値がゼロに低下すると、図３に示される状態遷移処理のステップＳ５において、回線電圧値がゼロであると判断され、ステップＳ８で回線電圧取得処理に対して終了が指示される。したがって、ＣＰＵ４４は、接続状態フラグに１をセットした後、回線電圧取得処理の終了が指示されたと判断し、回線電圧取得処理を終了する。
【０１３４】
初期電圧値ＣＶＯＬが１ボルト以上である場合（Ｓ２０４：ＮＯ）、接続状態フラグが０のまま、状態遷移処理により回線電圧取得処理の終了が指示されたか否かを判断する（Ｓ２０６）。
【０１３５】
回線電圧取得処理の終了が指示されていない場合（Ｓ２０６：ＮＯ）、ＣＰＵ４４は、電圧検出回路３３により検出される回線電圧値Ｖを新たに取得する（Ｓ２０７）。回線電圧値Ｖの取得は、状態遷移処理により回線電圧取得処理の終了が指示されるまで、コンデンサ３７の最大蓄積量の電荷を放電完了するまでに要する放電所定時間毎に繰り返される。
【０１３６】
新たな回線電圧値Ｖの取得後、ＣＰＵ４４は、その取得した回線電圧値ＶをＲＡＭ４３に記憶させる。ＲＡＭ４３には、最大１０個の回線電圧値が過去取得値Ｖ１〜１０として記憶される。ＣＰＵ４４は、新たに回線電圧値Ｖを取得すると、ＲＡＭ４３に記憶されている過去取得値Ｖ１を消去して、過去取得値Ｖ２〜１０をそれぞれ過去取得値Ｖ１〜９としてＲＡＭ４３に記憶させる（シフトされる）。そして、ＣＰＵ４４は、新たに取得した回線電圧値Ｖを過去取得値Ｖ１０としてＲＡＭ４３に記憶させる（Ｓ２０８）。
【０１３７】
そして、ＣＰＵ４４は、新たに取得した回線電圧値Ｖが４５ボルト以上であるか否かを判断する（Ｓ２０９）。
【０１３８】
新たに取得した回線電圧値Ｖが４５ボルト以上である場合（Ｓ２０９：ＹＥＳ）、ＣＰＵ４４は、接続状態フラグの状態を０にリセットして（Ｓ２１０）、状態遷移処理により回線電圧取得処理の終了が指示されたか否かを判断し（Ｓ２０６）、終了が指示されていない場合（Ｓ２０６：ＮＯ）、回線電圧値Ｖを新たに取得する（Ｓ２０７）。
【０１３９】
新たに取得した回線電圧値Ｖが４５ボルト未満である場合（Ｓ２０６：ＮＯ）、ＣＰＵ４４は、その回線電圧値Ｖが１ボルト未満であるか否かを判断する（Ｓ２１１）。
【０１４０】
新たに取得した回線電圧値Ｖが１ボルト未満でない場合（Ｓ２１１：ＮＯ）、ＣＰＵ４４は、状態遷移処理により回線電圧取得処理の終了が指示されたか否かを判断し（Ｓ２０６）、終了が指示されていない場合（Ｓ２０６：ＮＯ）、回線電圧値Ｖを新たに取得する（Ｓ２０７）。
【０１４１】
新たに取得した回線電圧値Ｖが１ボルト未満である場合（Ｓ２１１：ＹＥＳ）、ＣＰＵ４４は、接続状態フラグが０にリセットされた状態であるか否かを判断する（Ｓ２１２）。また、新たに取得した回線電圧値Ｖが１Ｖ未満である場合、図３に示される状態遷移処理のステップＳ５において、回線電圧値がゼロであると判断され、ステップＳ８で回線電圧取得処理に対して終了が指示される。
【０１４２】
接続状態フラグが０にリセットされた状態でない場合（Ｓ２１２：ＮＯ）、ＣＰＵ４４は、状態遷移処理により回線電圧取得処理の終了が指示されたか否かを判断し（Ｓ２０６）、終了が指示されていない場合（Ｓ２０６：ＮＯ）、回線電圧値Ｖを新たに取得する（Ｓ２０７）。
【０１４３】
一方、接続状態フラグが０にリセットされた状態のままである場合（Ｓ２１２：ＹＥＳ）、ＣＰＵ４４は、過去取得値Ｖ１〜１０を参照して、回線電圧値の時間変化のパターンが図８（ｂ）に示されるパターンＢであるか否かを判断する（Ｓ２１３）。具体的には、ＣＰＵ４４は、過去取得値Ｖ１〜１０を参照し、正常な回線電圧値（約４８ボルト）に応じて設定された閾値（例えば、４５ボルト）以上の回線電圧値が最後に取得された時点から、１ボルト未満の回線電圧値が最初に取得された時点までに要した電圧低下時間を求める。そして、ＣＰＵ４４は、その電圧低下時間が所定の基準時間以下であるか否かを判断し、電圧低下時間が基準時間以下であれば、回線電圧値の時間変化のパターンが瞬時の電圧低下を示すパターンＢであると判断する。一方、電圧低下時間が基準時間よりも長ければ、ＣＰＵ４４は、回線電圧値の時間変化のパターンが緩やかな電圧低下を示すパターンＣであると判断する。基準時間は、放電所定時間と略同一であって、放電所定時間よりも長い時間に設定される。基準時間は、たとえば、放電所定時間に放電所定時間の１０〜４０％に相当する時間を加えた時間に設定される。
【０１４４】
そして、ＣＰＵ４４は、回線電圧値の時間変化のパターンが瞬時の電圧低下を示すパターンＢであると判断した場合（Ｓ２１３：ＹＥＳ）、接続状態フラグに２をセットする（Ｓ２１４）。そして、回線電圧取得処理の終了が指示されているので、ＣＰＵ４４は、回線電圧取得処理を終了する（Ｓ２０６：ＹＥＳ）。したがって、この場合、接続状態フラグに２がセットされた状態で、回線電圧取得処理が終了されることになる。
【０１４５】
ＣＰＵ４４は、回線電圧値の時間変化のパターンが緩やかな電圧低下を示すパターンＣであると判断した場合（Ｓ２１３：ＮＯ）、接続状態フラグに３をセットする（Ｓ２１５）。そして、回線電圧取得処理の終了が指示されているので、ＣＰＵ４４は、回線電圧取得処理を終了する（Ｓ２０６：ＹＥＳ）。したがって、この場合、接続状態フラグに３がセットされた状態で、回線電圧取得処理が終了されることになる。
【０１４６】
図１０に示される回線電圧取得処理によっても、図７に示される回線電圧取得処理と同様の結果を得ることができる。
【０１４７】
＜変形例＞
【０１４８】
以上、本発明の実施形態について説明したが、本発明は、他の形態で実施することもできる。
【０１４９】
前述の実施形態では、ＣＰＵ４４が各処理を実行する場合について説明した。しかしながら、ＡＳＩＣ４１が複数のＣＰＵを備え、複数のＣＰＵが協働して各処理を実行してもよい。
【０１５０】
また、画像処理装置の一例として、ＭＦＰ１を取り上げたが、画像形成処理は、ファクシミリ機能を有する装置であれば、例えば、ファクシミリ機能を有する単機能のファクシミリ装置であってもよい。
【０１５１】
その他、前述の構成には、特許請求の範囲に記載された事項の範囲で種々の設計変更を施すことが可能である。
【符号の説明】
【０１５２】
１    ＭＦＰ
１１  画像形成部
１２  画像読取部
１５  モデム部
１７  電源部
２１  モジュラジャック
２２  電話回線網
２４  第１接点
２５  第２接点
３３  電圧検出回路
３４  回線信号送受信回路
３５  第１接続線
３６  第２接続線
４１  ＡＳＩＣ
４３  ＲＡＭ
【図１】
0006569392.tif 000002
【図２】
0006569392.tif 000003
【図３】
0006569392.tif 000004
【図４】
0006569392.tif 000005
【図５】
0006569392.tif 000006
【図６】
0006569392.tif 000007
【図７】
0006569392.tif 000008
【図８】
0006569392.tif 000009
【図９】
0006569392.tif 000010
【図１０】
0006569392.tif 000011